(57)【要約】【課題】  送信者の意図しない誤操作による緊急通報の誤報を防止する。【解決手段】  緊急通報時に押下するボタンスイッチへの押下が人の指による押下であるか否かを判定する人押下判定手段は、所定の誘電率または導電率を有する人の指の表皮をコンデンサ成分または抵抗成分として含むアナログ発信回路と、前記アナログ発信回路が発信する発信信号の周波数または振幅を測定する発信信号測定回路と、前記ボタンスイッチを人の指で押下した場合の前記発信信号の周波数または振幅に係る情報を予め登録しておく発信情報登録回路を含み、前記ボタンスイッチが押下されている状態において、前記発信信号の周波数または振幅と前記発信情報登録回路に予め登録されている周波数または振幅に係る情報を対比し、前記ボタンスイッチへの押下が人の指による押下であるか否かを判定する。【選択図】  図２
2017010403.tif 000002
【特許請求の範囲】
【請求項１】
緊急通報時に押下するボタンスイッチと、前記ボタンスイッチが押下された場合に前記ボタンスイッチへの押下が人の指による押下であるか否かを判定する人押下判定手段と、前記ボタンスイッチの押下が人の指による押下であるかと判定した場合に所定の宛先へ緊急通報に係る緊急通報信号を無線または有線で発信する緊急通報発信手段と、前記緊急通報信号の発信完了または発信未完了に係る情報を表示する緊急通報状況表示手段と、を有する緊急通報装置であって、
前記人押下判定手段は、所定の誘電率または導電率を有する人の指の表皮をコンデンサ成分または抵抗成分として含むアナログ発信回路と、前記アナログ発信回路が発信する発信信号の周波数または振幅を測定する発信信号測定回路と、前記ボタンスイッチを人の指で押下した場合の前記発信信号の周波数または振幅に係る情報を予め登録しておく発信情報登録回路を含み、前記ボタンスイッチが押下されている状態において、前記発信信号の周波数または振幅と前記発信情報登録回路に予め登録されている周波数または振幅に係る情報を対比し、前記ボタンスイッチへの押下が人の指による押下であるか否かを判定することを特徴とする誤報防止機能を有する緊急通報装置。
【発明の詳細な説明】
【技術分野】
【０００１】
本発明は、誤報防止機能を有する緊急通報装置に関する。
【背景技術】
【０００２】
従来、緊急通報装置子機において、緊急通報装置子機の周りを囲むように圧力センサが設置され、所定以上の圧力を所定時間以上継続して検出したことをトリガーとして通報することで、いたずらや無意識の動作による誤報を防止する技術が知られている（例えば特許文献１）。
【０００３】
しかしながら、特許文献１に記載された技術では、指で押下していない場合であっても所定の圧力を検出すると通報してしまうため、例えばポケットに入れていて何かの弾みで応力が加えられる、重い物が圧力センサの上に乗る等であっても反応してしまう。この場合、通報完了時の音声や表示による通知手段で送信者が誤報であることに気付いたとしても、受信者はすぐに誤報であることが認識できないため、受信者に不要な行動や心配を与えてしまう恐れがある。
【先行技術文献】
【特許文献】
【０００４】
【特許文献１】特開２００７−７２５４１号公報
【発明の概要】
【発明が解決しようとする課題】
【０００５】
そこで、本発明の課題は、送信者の意図しない誤操作による緊急通報の誤報を防止することにある。
【課題を解決するための手段】
【０００６】
上記課題を解決するために、本発明は、緊急通報時に押下するボタンスイッチと、前記ボタンスイッチが押下された場合に前記ボタンスイッチへの押下が人の指による押下であるか否かを判定する人押下判定手段と、前記ボタンスイッチの押下が人の指による押下であるかと判定した場合に所定の宛先へ緊急通報に係る緊急通報信号を無線または有線で発信する緊急通報発信手段と、前記緊急通報信号の発信完了または発信未完了に係る情報を表示する緊急通報状況表示手段と、を有する緊急通報装置であって、前記人押下判定手段は、所定の誘電率または導電率を有する人の指の表皮をコンデンサ成分または抵抗成分として含むアナログ発信回路と、前記アナログ発信回路が発信する発信信号の周波数または振幅を測定する発信信号測定回路と、前記ボタンスイッチを人の指で押下した場合の前記発信信号の周波数または振幅に係る情報を予め登録しておく発信情報登録回路を含み、前記ボタンスイッチが押下されている状態において、前記発信信号の周波数または振幅と前記発信情報登録回路に予め登録されている周波数または振幅に係る情報を対比し、前記ボタンスイッチへの押下が人の指による押下であるか否かを判定することを特徴とする。
【発明の効果】
【０００７】
本発明によれば、送信者の指以外の圧力による緊急通報の誤報を防止する緊急通報装置を提供できる。
【０００８】
また、緊急通報者が手袋を装着している、又は所定の圧力を指で加えられなかったなどの理由で誤報と検出された場合であっても、操作受付無効時間経過後に再通報すると誤報と検出せずに緊急通報を行う緊急通報装置を提供できる。
【図面の簡単な説明】
【０００９】
【図１】本発明の実施形態に係る緊急通報システムの構成を示したブロック図である。
【図２】本発明の実施形態に係る緊急通報装置子機の誤報防止機能付き通報装置のブロック図である。
【図３】本発明の実施形態に係る緊急通報装置子機の誤報防止機能付き通報装置のフローチャート図である。
【発明を実施するための形態】
【００１０】
以下、図１〜図３を参照し、本発明による緊急通報装置の一実施形態について説明する。
【００１１】
図１は本発明による緊急通報システムの構成を示すブロック図である。
【００１２】
緊急通報システムは、緊急通報装置子機１０１−１〜１０１−ｎと、緊急通報装置親機１０２−１〜１０２−ｎと、通報先緊急通報装置親機１０３−１〜１０３−ｎと、管理サーバ１０４とで構成される。緊急通報装置子機１０１−１の通報を緊急通報装置１０２−１が受け取り、予め登録されている通報先緊急通報装置１０３−１及び管理サーバ１０４に緊急通報装置子機１０１−１から通報があったことを通知する。緊急通報装置子機と緊急通報装置親機の間は無線通信の代わりに有線通信を用いても良いものとする。
【００１３】
図２は緊急通報装置子機の誤報防止機能付き通報装置のブロック図である。
【００１４】
緊急通報装置子機１０１は、電源起動部２０１と、電源部２０２と、搬送波周波数生成回路部２０３と、位相検出部２０４と、ループフィルタ部２０５と、電圧制御発振器部２０６と、分周器部２０７と、デジタルロック判定部２０８と、制御部２０９と、変調回路部２１０と、周波数ミキサ部２１１と、バンドパスフィルタ部２１２と、電力増幅部２１３と、アンテナマッチング部２１４と、アンテナ部２１５と、表示部２１６と、経過時間計測部２１７と、切替スイッチ２１８と、搬送波周波数マッチング部２１９と電圧監視部２２０で構成される。
【００１５】
緊急通報開始時に電源起動部２０１の電源起動ボタンスイッチ押下又は所定の圧力を検出する圧力センサにより電源部２０２が動作し、各部に電源供給を開始する。
【００１６】
水晶の発振周期を源振とする搬送波周波数生成回路部２０３が無線信号の搬送波周波数を生成し、入力信号と出力信号の位相差を電圧に変換する位相検出部２０４と、主にローパスフィルタで構成されるループフィルタ部２０５と、電圧を周波数に変換し、インダクタとコンデンサの組み合わせで共振周波数を組み、無線通信を行うための搬送波周波数を取り出す電圧制御発振器部２０６と、電圧制御発振器部２０６の出力周波数を決定する分周期部２０７により、搬送波周波数を生成する。
【００１７】
電源起動部２０１の押下と同時に電源起動部２０１の近傍かつ指を近づけやすい位置に配置された電圧制御発振器部２０６は、人の指が接近することで人の指が持つコンデンサ成分又は抵抗成分により共振周波数がずれるが、これを利用し、搬送波周波数をデジタルロック判定部２０８が監視し、指を接近させ無線通信を行うための搬送波周波数と一致した際にデジタルロック判定部２０８は制御部２０９へ緊急通報を行う指示を出力する。電源起動部２０１が押下されたとしても、電圧制御発振部２０６の近傍に指が接近していない場合は無線通信を行うための搬送波周波数と一致しないとデジタルロック判定部２０８が判定するため、デジタルロック判定部２０８は制御部２０９に緊急通報を行う指示をしない。
【００１８】
デジタルロック判定部２０８から緊急通報の指示を受け取った制御部２０９は、無線通信を行うために必要な通信プロトコルや緊急通報装置子機１０１に割り振られたユニークID等の情報及び緊急通報情報を変調回路部２１０に出力する。変調回路部２１０は制御部２０９から出力された情報を通信方式に定められた方法で変調し、無線通信を行うための搬送波周波数に情報を乗せるため周波数ミキサ部２１１に出力する。
【００１９】
周波数ミキサ部２１１は電圧制御発振器２０６出力の無線通信を行うための搬送波周波数と、変調回路部２１０出力の変調波をミキサし、バンドパスフィルタ部２１２で無線通信を行うための搬送波周波数以外の周波数の電力を抑制し、電力増幅部２１３で無線通信を行うための搬送波周波数の電力を増幅し、アンテナマッチング部２１４で無線通信を行うための搬送波周波数の電力の減衰を抑え、アンテナ部２１５で無線信号を送出し、緊急通報を行う。
【００２０】
緊急通報完了後、制御部２０９は緊急通報が完了したことを表示部２１５に通知し、表示部２１５は緊急通報装置子機１０１の使用者に対してＬＥＤ又は音声メッセージの再生により緊急通報が完了したことを通知する。通知完了後、制御部２０９は電源部２０２に電源供給停止を指示し、電源部２０２は電源供給を停止する。
【００２１】
電源起動部２０１は押下されたがデジタルロック判定部２０８で無線通信を行うための搬送波周波数と一致しなかった場合、制御部２０９は使用者の意図しない誤操作による緊急通報の誤報を防止するため、経過時間計測部２１７より所定の時間が経過するまで、制御部は経過時間の入力情報以外のいかなる入力情報に対しても操作受付を無効と判断する。所定の操作受付無効時間が終了した後、制御部２０９は操作待ち受けに移行し、経過時間計測部２１７が所定の操作待ち受け経過時間を計測する。
【００２２】
使用者が再び電源起動部２０１を押下したのが操作待ち受け時間中でかつ無線通信を行うための搬送波周波数と一致した場合、前記緊急通報と同じ手段で通報を行う。無線通信を行うための搬送波周波数と一致しなかった場合、制御部２０９は切替スイッチ２１８を制御し、人の指が持つコンデンサ成分又は抵抗成分と同等に調整された搬送波周波数マッチング部２１９と電圧制御発振器２０６のインダクタとコンデンサで構成された回路を接続し、無線通信を行うための搬送波周波数と一致しているとデジタルロック判定部２０８が判定した上で前記緊急通報と同じ手段で通報を行う。
【００２３】
緊急通報装置子機１０１は一般的に電池駆動であり、低電圧による誤動作を防止するため、所定の電圧以下であると電圧監視部２２０が判断した場合、制御部２０９をリセットする信号を出力し、動作停止させるため電圧監視部２２０を機能として備えても良い。
【００２４】
図３は緊急通報装置子機の誤報防止機能付き通報装置のフローチャート図である。
【００２５】
緊急通報装置子機１０１の電源起動部２０１が押下されたかどうかを判定し、電源起動部が押下されていない場合（Ｓ３０１，ＮＯ）は電源起動部が押下されるまで緊急通報装置子機１０１は動作しない。電源起動部が押下された場合（Ｓ３０１，ＹＥＳ）、指で押されたことで無線通信を行うための搬送波周波数と一致したかどうかをデジタルロック判定部が判定する。デジタルロック部が無線通信を行うための搬送波周波数と一致したと判定した場合（Ｓ３０２，ＹＥＳ）、アンテナ部２１５まで無線通信を行うための手段により無線通信を行う（Ｓ３０３）。無線通信完了後、使用者に対してＬＥＤ又は音声メッセージの再生により緊急通報が完了したことを通知する。その後、経過時間計測部２１７の経過時間測定を初期化し（Ｓ３０５）、制御部２０９は電源部２０２に電源供給停止を指示し、電源部２０２は電源供給を停止し（Ｓ３０６）、一連の動作を終了する。
【００２６】
デジタルロック部が無線通信を行うための搬送波周波数と一致しないと判定した場合（Ｓ３０２，ＮＯ）、制御部２０９は操作受付無効とし、経過時間計測部２１７が経過時間を計測する（Ｓ３０７）。操作受付無効時間終了後、制御部２０９は操作待ち受けに移行し、経過時間計測部２１７が操作待ち受け経過時間を計測する（Ｓ３０８）。
【００２７】
使用者が操作待ち受け時間終了までに再び電源起動部を押下しなかった場合（Ｓ３０９，ＮＯ）、経過時間計測部２１７の経過時間測定を初期化し（Ｓ３０５）、制御部２０９は電源部２０２に電源供給停止を指示し、電源部２０２は電源供給を停止し（Ｓ３０６）、一連の動作を終了する。
【００２８】
使用者が操作待ち受け時間終了までに再び電源起動部を押下した場合（Ｓ３０９，ＮＯ）、指で押されたことで無線通信を行うための搬送波周波数と一致したかどうかをデジタルロック判定部が判定する。デジタルロック部が無線通信を行うための搬送波周波数と一致したと判定した場合（Ｓ３１０，ＹＥＳ）、同様に無線通信開始（Ｓ３０３）から電源部停止（Ｓ３０６）を行う。
【００２９】
デジタルロック部が無線通信を行うための搬送波周波数と一致しないと判定した場合（Ｓ３１０，ＮＯ）、搬送波周波数マッチング部２１９と電圧制御発振器２０６のインダクタとコンデンサで構成された回路を切替スイッチで制御して接続し（Ｓ３１１）、無線通信を行うための搬送波周波数と一致しているとデジタルロック判定部２０８が判定した上で、同様に無線通信開始（Ｓ３０３）から電源部停止（Ｓ３０６）を行う。
【符号の説明】
【００３０】
１０１・・・緊急通報装置子機
１０２・・・緊急通報装置親機
２０１・・・電源起動部
２０２・・・電源部
２０３・・・搬送波周波数生成回路部
２０４・・・位相検出部
２０５・・・ループフィルタ部
２０６・・・電圧制御発振器部
２０７・・・分周器部
２０８・・・デジタルロック判定部
２０９・・・制御部
２１０・・・変調回路部
２１１・・・周波数ミキサ部
２１２・・・バンドパスフィルタ部
２１３・・・電力増幅部
２１４・・・アンテナマッチング部
２１５・・・アンテナ部
２１６・・・表示部
２１７・・・経過時間計測部
２１８・・・切替スイッチ
２１９・・・搬送波周波数マッチング部
２２０・・・電圧監視部
【図１】
2017010403.tif 000003
【図２】
2017010403.tif 000004
【図３】
2017010403.tif 000005